(57)【要約】【課題】  山中の間伐材の回収作業が困難である。【解決手段】  長尺滑走袋１３の両端を横断連結紐１５により連結すると共に、間隔維持棒１７を取外し可能に該紐１５に連結する。そして、長尺滑走袋１３の両端の連結輪１６を支持ロープを介して仮設杭により支持する。【選択図】  図１
2006280303.tif 000002
【特許請求の範囲】
【請求項１】
山中の間伐材を回収するための装置であって、
山の斜面に沿って配され、前記間伐材を滑走させるための断面略Ｕ字状の布製の長尺滑走袋と、
該長尺滑走袋の横断方向で対向する両端部を相互に連結する横断連結紐と、
前記両端部に着脱可能に取付けられて該両端部の間隔を保持する間隔維持棒と、
前記両端部に設けられる連結部を支持ロープを介して支持する仮設杭と、
を含むことを特徴とする間伐材の回収装置。
【請求項２】
前記仮設杭は周囲の立木から成り、上下方向にそれぞれ伸びる一対の支持ロープを介して前記連結部を支持することを特徴とする請求項１記載の間伐材の回収装置。
【請求項３】
前記長尺滑走袋内を案内される無端ロープと、前記間伐材を該無端ロープに連結する連結手段と、前記無端ロープを制動走行させる制御駆動手段とを有することを特徴とする請求項１記載の間伐材の回収装置。
【発明の詳細な説明】
【技術分野】
【０００１】
本発明は、山中の小口径木を含む間伐材を回収するための装置に関し、特に間伐材を滑走させて回収する装置に関する。
【背景技術】
【０００２】
最近では石油に代わるエネルギー資源が各種提案されているが、その一つとして間伐材が注目されている。
このような間伐材は、間伐作業の終了後、そのまま山中に放置され、自然に朽ちさせているのが現状である。
【０００３】
従って、間伐材をエネルギー資源として活用するためには、その回収作業が必要となり、例えば、間伐材が林道等の作業道の近傍に放置されている場合には、人的又は機械的に集めることでその回収を行うことができる。
【発明の開示】
【発明が解決しようとする課題】
【０００４】
しかし、多くの間伐材は山中に放置されているため、その搬出作業には熟練した多数の作業者が必要となる。このため回収に多大な費用を要し、又特に急峻な斜面に放置されている間伐材を搬出するためには、間伐材が大きな重量を有することから作業者に多大な負担と危険を強いる欠点がある。
【０００５】
本発明は、山中の間伐材を簡単かつ作業性よく、しかも安全、安価に回収することが可能な間伐材の回収装置を提供することを目的とする。
【課題を解決するための手段】
【０００６】
本発明は上記した課題を解決するために次の構成を有している。
即ち、本発明は、山の斜面に沿って配され、間伐材を滑走させるための断面略Ｕ字状の布製の長尺滑走袋と、この長尺滑走袋の横断方向で対向する両端部を相互に連結する横断連結紐と、両端部に着脱可能に取付けられて該両端部の間隔を保持する間隔維持棒と、両端部に設けられる連結部を支持ロープを介して支持する仮設杭と、を含むことを特徴とする。
【０００７】
＜作用＞
緩斜面に沿って長尺滑走袋を配する場合には、間伐材の滑走速度が小さいので、間隔維持棒を取付けた状態で間伐材を長尺滑走袋内で滑走させる。
【０００８】
急斜面に沿って長尺滑走袋を配する場合には、間伐材の滑走速度が大きくなり、間伐材が飛び出す等の問題が生じる。この場合は間隔維持棒を外し、間伐材の重量により長尺滑走袋の両端を接近させ、該袋と間伐材との摺接面積を大きくする等により滑走速度の増大を阻止する。
【発明の効果】
【０００９】
本願発明によれば、仮設杭により支持した長尺滑走袋により山中の間伐材を滑走させて回収するので、安価な構成で簡単かつ作業性よく間伐材を回収することができる上に、間隔維持棒の着脱を利用して間伐材の滑走速度を調整することができるので、間伐材を安全に回収することができる。
【発明を実施するための最良の形態】
【００１０】
以下、本発明の実施形態を図面を参照して詳細に説明する。
図３には本発明に係る回収装置１０を山の斜面に配置した状態が示されている。この回収装置１０は本体１１と複数の仮設杭３とを有している。
【００１１】
図１は本体１１の平面図、図２は本体１１の正面断面図である。
この本体１１は、長尺滑走袋１３を備えている。長尺滑走袋１３はポリエステル製の布袋から成り、２０ｍ〜１００ｍの長さ寸法を有している。
【００１２】
長尺滑走袋１３の両端には該袋を支持するための支持ベルト１４が取付けられている。これらの支持ベルト１４は折り曲げ可能なポリエステル繊維等の編組体から形成されている。
【００１３】
両支持ベルト１４、１４には、２〜４ｍ間隔で横断連結紐１５の両端側が固着されている。これらの横断連結紐１５の両端には、折り曲げ形成された連結輪１６が一体的に形成されている。尚、横断連結紐１５も上記した編組体より形成されている。
【００１４】
各横断連結紐１５上には間隔維持棒１７が配されている。間隔維持棒１７はプラスチック又は竹材等から形成されて剛性を有し、両端に取り外し可能なリング材１８が取り付けられ、これらリング材１８が連結輪１６に連結されている。従って、図２に示すように、間伐材１が長尺滑走袋１３内に位置して該袋１３に重量が加わっても該袋１３の両端の間隔が間隔維持棒１７により維持され、これにより該袋１３が断面略Ｕ字状に保持されるので緩斜面であっても間伐材１を円滑に滑走させることができる。
【００１５】
上記長尺滑走袋１３は、図３に示すように、支持ロープ３０を介して仮設杭３により支持されている。即ち、仮設杭３として周囲の立木が用いられ、支持ロープ３０の一端は連結輪１６に連結され、他端は、図５に示すように、仮設杭３の装着体５１側に連結されている。即ち、装着体５１は仮設杭３に巻き付けられてベルクロファスナ５２により固定されている。そして、装着体５１にはベルト５３，５３の挿通される挿通部５４，５４が設けられ、ベルト５３の一端の輪部５３ａにその他端が通されて他端の輪部５３ｂに支持ロープ３０の他端が連結されている。
【００１６】
尚、仮設杭３としては、周囲の立木以外に切り株や小径の間伐材を用いてもよく、又プラスチックから形成したものであってもよい。
【００１７】
ところで、長尺滑走袋１３は、立木等を避けるために、図３に示すように布設ルートを曲折することが可能である。
【００１８】
また、支持ロープ３０を用いると該ロープ３０に弛みが生じ、長尺滑走袋１３に振動が加わり、間伐材が飛び出す虞れがある。
【００１９】
そこで、本実施例では、図３及び図４に示すように、長尺滑走袋１３の曲り位置の連結輪１６に二本の支持ロープ３０の一端を連結し、各ロープ３０の他端を仮設杭３の上下の装着体５０，５０を介してそれぞれ連結する。これにより、長尺滑走袋１３に振動が生じるのを防止することができる。
【００２０】
尚、周囲に立木が無い場合等には、長尺滑走袋１３の両側の近傍に仮設杭３，３立設し、各仮設杭に装着した装着体５１に、連結輪１６をベルトなどにより直接的に連結する。従って、長尺の支持ロープを用いないので、長時間使用しても長尺滑走袋１３が上下に振動することがない。
【００２１】
次に、本発明の回収装置の使用態様を説明する。
【００２２】
先ず、緩斜面に長尺滑走袋１３を配置し、仮設杭３により支持した場合には、図１及び図２に示すように、間隔維持棒１７を取り付けた状態で、即ち、長尺滑走袋１３の断面を略Ｕ字状に保持し、最適な滑走速度を付与して間伐材１を滑走させることができる。
【００２３】
次に、急峻な斜面に長尺滑走袋１３を配置した場合には、図６に示すように、間隔維持棒１７を外し、間伐材１の重量により長尺滑走袋１３の両端を接近させ、該袋１３の内面を間伐材１の周面に大きく摺接させる。これにより、間伐材１をその滑走速度を制御して滑走させることができる。
【００２４】
尚、間隔維持棒１７は、長尺滑走袋１３において、急峻な斜面位置だけ、又はその近傍位置、又は一つおき等に外される。
【００２５】
図７は二つの長尺滑走袋１３を接合するための構成を示している。即ち、各長尺滑走袋１３の端部において支持ベルト１４が伸長してその先端に輪部１４ａが形成されている。そして、両袋１３，１３を接合するには、一方の袋１３の輪部１４ａを他方の袋１３の連結輪１６に図示しないハンド等を用いて連結する。従って、布設ルートが１００ｍ等と大きい場合でも、複数の長尺滑走袋１３を相互に接合し、対応することができる。
【００２６】
図８は、本発明の他の実施例を示す概略図である。この実施例１は、斜面が特に急勾配で間隔維持棒１７を外しても間伐材１の滑走速度が増加する場合を想定した実施例である。
【００２７】
即ち、長尺滑走袋１３内には無端ロープ２０が導入されている。無端ロープ２０は袋１３の上方（又は近傍）に配されている複数のリング２１により支持され、かつ通され、袋１３の導入口のプーリ２２及び搬出口のプーリ（図示せず）に巻き掛けられている。そして、プーリ２２に牽引機（図示せず）の回転力（制御力）が付与される。
【００２８】
そして、無端ロープには複数の連結ロープ２３の各一端が等間隔で連結されている。その他の構成は図１と同一である。
【００２９】
この実施例では、先ず、連結ロープ２３の他端に間伐材１を結び付け、この間伐材１を長尺滑走袋１３内に導入する。
【００３０】
次に、牽引機を作動させ、無端ロープ２０を制動しながら長尺滑走袋１３内で走行させる。これにより間伐材１を一定速度で滑走させることができる。
【００３１】
尚、牽引機としては、鼓型ローダ（船舶用の巻上げ機：（株）工進製）、その他、牽引機能を有するものであればよい。
【００３２】
尚、無端ロープ２０等を構成要素とする場合には、該ロープ２０を逆方向に走行させ、斜面の下部に存在する間伐材を斜面の上部まで逆方向に搬送することも可能である。
【図面の簡単な説明】
【００３３】
【図１】本発明に係る回収装置の要部平面図である。
【図２】同装置の正面断面図である。
【図３】同装置の布設状態を示す概略図である。
【図４】本発明に係る長尺滑走袋の支持状態を示す概略図である。
【図５】本発明に係る支持手段の斜視図である。
【図６】本発明の回収装置の間隔維持棒を外した断面図である。
【図７】本発明に係る長尺滑走袋の接合方式を示す斜視図である。
【図８】本発明の他の実施例の概略図である。
【符号の説明】
【００３４】
１      間伐材
３      仮設杭
１０    回収装置
１１    本体
１３    長尺滑走袋
１４    支持ベルト
１４ａ  輪部
１５    横断連結紐
１６    連結輪
１７    間隔維持棒
１８    リング材 
２０    無端ロープ
２３    連結ロープ
３０    支持ロープ
５０    装着体
５１    装着体
５３    ベルト
５４    挿通部
【図１】
2006280303.tif 000003
【図２】
2006280303.tif 000004
【図３】
2006280303.tif 000005
【図４】
2006280303.tif 000006
【図５】
2006280303.tif 000007
【図６】
2006280303.tif 000008
【図７】
2006280303.tif 000009
【図８】
2006280303.tif 000010